(57)【特許請求の範囲】
【請求項１】
天井に吊支されて移動する間仕切本体の上端または下端に形成された左右方向を向く凹溝内に、前記間仕切本体と天井または床との隙間を閉塞する上下移動部材を、上下方向に移動可能として嵌合し、前記上下移動部材を、間仕切本体内に設けた進退手段により、前記凹溝より上下方向に進退させるようにした移動間仕切の遮音構造において、
前記上下移動部材を、前部上下移動部材と後部上下移動部材とにより構成し、これら前後部の上下移動部材を、前記進退手段に連係した上下方向を向く押し出し杆の先端部に、前後方向に回動可能として設け、かつ前記前後部の上下移動部材を互いに平行に保持する付勢手段を設けたことを特徴とする移動間仕切の遮音構造。
【請求項２】
前後部の上下移動部材を、押し出し杆の先端部に、前後方向だけでなく左右方向にも回動可能として設けた、請求項１記載の移動間仕切の遮音構造。
【請求項３】
押し出し杆の先端部の前後に、前後部の上下移動部材と弾性体とを配設し、それらを前後方向を向く締付手段により締着した請求項２記載の移動間仕切の遮音構造。
【請求項４】
前後部の上下移動部材の一方を、押し出し杆に枢着し、かつ他方を、前記一方の上下移動部材に枢着した、請求項１記載の移動間仕切の遮音構造。
【請求項５】
凹溝内をその前後方向の中間部に中間突出部材を設けて仕切ることにより、外方が開口する前後２つのガイド溝を形成し、各ガイド溝に、前後部の上下移動部材を、上下に摺動可能に収容した、請求項１〜４のいずれかに記載の移動間仕切の遮音構造。
【請求項６】
前部及び後部上下移動部材におけるガイド溝内に位置する端部の前後両面に、ガイド溝の内面と摺接するシール材を設けた、請求項１〜５のいずれかに記載の移動間仕切の遮音構造。
【請求項７】
前後部の上下移動部材における天井又は床と対向する端面の前後部に外側が撓曲性能が低く、かつ内側が撓曲性能が高いシール材を左右方向に向けて設けた、請求項１〜６のいずれかに記載の移動間仕切の遮音構造。
【請求項８】
シール材を、同一材質で、中実のもの、中空のもの、中空で一部が外方に開放したもののいずれかとし、これらを組み合わせて用いた、請求項７記載の移動間仕切の遮音構造。
【発明の詳細な説明】
【０００１】
【発明の属する技術分野】
本発明は、宴会場や多目的ホール等の空間を仕切る移動間仕切の遮音構造に関する。
【０００２】
【従来の技術】
従来、天井に固定したガイドレールに沿って移動自在に吊支した移動間仕切では、使用時に、間仕切と天井との間や間仕切と床との間等に若干の空隙が残り、この隙間より音漏れが生じるので、間仕切本体の端部に上下移動部材を設け、この上下移動部材を天井や床に当接させて空隙を埋めて遮音を行っている。このような従来の遮音構造としては、登録実用新案公報第３００２５９３号記載のものが知られている。
この公報記載のものでは、上下移動部材の前後に配設したシール材を、天井や床へ圧接することにより、遮音性能を高めている。
【０００３】
【発明が解決しようとする課題】
遮音性能の向上のために、移動間仕切は大型化され、それに伴い移動間仕切本体の上下移動部材も大型化する傾向にある。また、上下移動部材による遮音性能を向上させるためには、上下移動部材に設けられるシール材の数を増やすなどする必要があるが、このように単にシール材を多用すると、上下移動部材の移動が不円滑になるという問題がある。
さらに移動間仕切は、吊られているため必ず垂直であるのに対して、天井や床は必ずしも完全に水平ではなく、いずれかの方向になだらかに傾斜していたり、凹凸面であったりする場合が多い。
そのため、単一構造の上下移動部材を間仕切本体から上下に突出させたとき、上下移動部材が天井や床と片当りして、その前後いずれかの端縁と、天井または床との間に間隙が生じたり、または間隙が生じないまでも、前後のシール材に均等な押圧力が作用せず、そのため、前後いずれかのシール材の遮音性能が低下するおそれがある。また、上下移動部材の出し入れの円滑性を欠くことがある。
【０００４】
本発明は、上述の問題点に鑑み、上下移動部材のシール材の数を増やしても、その移動が円滑に行われ、かつ天井や床が多少傾斜していたり、凹凸面であったりしても、天井や床に均一に圧接し、遮音性能の低下を防止しうるようにした、移動間仕切の遮音構造を提供することを目的としている。
【０００５】
【課題を解決するための手段】
本発明によると、上記課題は、次のようにして解決される。
（１）天井に吊支されて移動する間仕切本体の上端または下端に形成された左右方向を向く凹溝内に、前記間仕切本体と天井または床との隙間を閉塞する上下移動部材を、上下方向に移動可能として嵌合し、前記上下移動部材を、間仕切本体内に設けた進退手段により、前記凹溝より上下方向に進退させるようにした移動間仕切の遮音構造において、前記上下移動部材を、前部上下移動部材と後部上下移動部材とにより構成し、これら前後部の上下移動部材を、前記進退手段に連係した上下方向を向く押し出し杆の先端部に、前後方向に回動可能として設け、かつ前記前後部の上下移動部材を互いに平行に保持する付勢手段を設ける。
【０００６】
（２）上記(１)項において、前後部の上下移動部材を、押し出し杆の先端部に、前後方向だけでなく左右方向にも回動可能として設ける。
【０００７】
（３）上記(２)項において、押し出し杆の先端部の前後に、前後部の上下移動部材と弾性体とを配設し、それらを前後方向を向く締付手段により締着する。
【０００８】
（４）上記(１)項において、前後部の上下移動部材の一方を、押し出し杆に枢着し、かつ他方を、前記一方の上下移動部材に枢着する。
【０００９】
（５）上記(１)〜(４)項のいずれかにおいて、凹溝内を、その前後方向の中間部に中間突出部材を設けて仕切ることにより、外方が開口する前後２つのガイド溝を形成し、各ガイド溝に、前後部の上下移動部材を、上下に摺動可能に収容する。
【００１０】
（６）上記(１)〜(５)項のいずれかにおいて、前部及び後部上下移動部材におけるガイド溝内に位置する端部の前後両面に、ガイド溝の内面と摺接するシール材を設ける。
【００１１】
（７）上記(１)〜(６)項のいずれかにおいて、前後部の上下移動部材における天井又は床と対向する端面の前後部に、外側が撓曲性能が低く、かつ内側が撓曲性能が高いシール材を、左右方向に向けて設ける。
【００１２】
（８）上記(７)項において、シール材を、同一材質で、中実のもの、中空のもの、中空で一部が外方に開放したもののいずれかとし、これらを組み合わせて用いる。
【００１３】
【発明の実施の形態】
図１〜図４は、本発明の遮音構造の第１の実施形態を備える移動間仕切を示す。
図１に示すように、移動間仕切(Ａ)の間仕切本体(１)の上下の端部に形成された左右方向を向く凹溝(1a)（図２参照）内には、前部上下移動部材(2b)と後部上下移動部材(2c)（図２参照）とからなる上下移動部材(２)が、上下方向に移動可能として嵌合されている。
【００１４】
間仕切本体(１)の中間部には、間仕切本体(１)の右端面に装着した回転操作ハンドル（図示略）を回転させることにより、上下方向に拡縮しうるようにしたパンタグラフ式の駆動手段(３)が設けられている。この駆動手段(３)の中央部の上下端に取り付けられた上下方向に延びる伸縮杆(４)の外端は、左右方向を向く連結杆(５)の中央に軸着されており、連結杆(５)の両端には、一端が上下移動部材(２)に後述するようにして連結された押し出し杆(６)の他端が、軸着されている。
【００１５】
図２は、間仕切本体(１)の上端部の拡大縦断側面図で、本発明の遮音構造の一実施形態を示している。図２は、間仕切本体(１)の上端部を示しているが、間仕切本体(１)の下端部も、同様の遮音構造を有していることは言うまでもない。従って、以下においては、上端部のみの遮音構造について説明し、下端部についての説明は省略する。
【００１６】
石膏ボード(７)を薄鋼板のような表面材(８)の内部に収容してなる前後面のパネル(９)を、互いに前後に間隔を隔てて設けてあり、その上下の端部には、上下外向きに開放する凹溝(1a)が形成され、ここに、板金を曲げて加工するか、またはアルミニウム軽合金等の成形品よりなる枠部材(10)が挿設されている。
【００１７】
前後面の枠部材(10)は、パネル(９)の端面に、ねじにより取り付けた端面部(10a)から、パネル(９)の内側に平行に内方に延びるガイド面部(10b)に連続し、その内端から直角に、対向するパネル側に曲がって延びる底部(10c)を有している。
【００１８】
間隔を隔てる前後部のパネル(９)の中間には、同様に板金を曲げ加工してなる中間突出部材(11)が、上端面が枠部材(10)の上端よりも下位となるようにして設けられており、その下端部は、枠部材(10)の底部(10c)に連続するように固着されている。
中間突出部材(11)は、断面下向きコ字状をなし、その前後１対の垂直片(11a)は、枠部材(10)のガイド面部(10b)と平行に延び、両垂直片(11a)の上端同士を結合している水平の連結片(11b)は、パネル(９)の端面間のほぼ中央に位置している。
【００１９】
このような構成の枠部材(10)及び中間突出部材(11)により、凹溝(1a)内を断面ほぼＷ字状に仕切って開口する形状とし、前面の枠部材(10)と中間突出部材(11)の前方の垂直片(11a)との間、及び後面の枠部材(10)と中間突出部材(11)の後方の垂直片(11a)との間に、ガイド溝(12)が形成されている。
【００２０】
間隔を隔てて形成された前後２個のガイド溝(12)には、前後部上下移動部材(2b)(2c)からなる上下移動部材(２)の脚、すなわち前後の両側板(13)がそれぞれ挿入されている。前後部上下移動部材(2b)(2c)は、後述するように、その上部を連結ピン(23)により互いに枢着されて、断面コ字状（上方のものは下向きコ字状、下方のものは上向きコ字状）をなす上下移動部材(２)を形成している。
【００２１】
側板(13)は、上下移動部材(２)の水平板(2a)により連結された内側板(13a)と、これに平行に嵌合する外側板(13b)とからなり、いずれも、金属または合成樹脂材料で形成された中空の部材で、内部に石膏ボードまたは発泡ポリウレタン等の合成樹脂材料よりなる吸音材(14)が収容されている。
【００２２】
内側板(13a)の下端部の内側には、中間突出部材(11)の前後１対の垂直片(11a)に摺接するシール材(15a)が設けられ、また外側板(13b)の下端部の外側には、枠部材(10)のガイド面(10b)に摺接するシール材(15b)が設けられている。
内外側板(13a)(13b)の上端には、対向する天井(Ｂ)に圧接する２個のシール材(16a)(16b)が、それぞれ設けられている。
【００２３】
シール材(15a)(15b)(16a)(16b)は、軟質合成樹脂材料またはゴムのような同一材質の成形品であり、原則的に内部に中空部分を有するが、天井(Ｂ)に圧接するシール材としては、外側に、中空部分のない撓曲性能の低いシール材(16a)を配し、内側に、中空部分のある撓曲性能の高いシール材(16b)を配している。
【００２４】
中間突出部材(11)の連結部(11b)を貫いて延びる押し出し杆(６)の先端部には、図４に示すように、上端が開放する枠状のボックス部材(18)が固着されている。ボックス部材(18)の前後の上端は、その左右の上端より低く設定されている。
ボックス部材(18)の左右の面には、軸孔(20a)が穿設され、この軸孔(20a)と、ボックス部材(18)内に挿入された、後部上下移動部材(2c)の一部をなす下向コ字形の板金製の後部取付部材(26)の脚部の軸孔(20b)とに、左右方向を向く枢軸(17)を挿入することにより、後部取付部材(26)は、前後に揺動可能に枢着されている。
【００２５】
後部取付部材(26)の前上部、すなわち脚部に続いて上方に延びる部分は、その前部が一旦後上方に向けて斜切されたのち、垂直に延びる切欠段部となっており、また、上端部は、後方に張り出している。
前部の段部の内側には、連結孔(21b)が、また、後部の下部には、ばね取付孔(22b)が穿設されている。
【００２６】
後部取付部材(26)の前方には、前部上下移動部材(2b)の一部をなす下向コ字形の前部取付部材(27)が取付けられる。前部取付部材(27)は、後部取付部材(26)の内側に挿入される板金製の部材であり、後部取付部材(26)の上端後部の上下寸法と、前後方向の寸法とほぼ同等の長さを有する。
【００２７】
前部取付部材(27)の後端上部には、直角に切り欠いた段部が形成され、この段部の直下には、後部取付部材(26)の連結孔(21b)に対応する連結孔(21a)が穿設されており、また前端下部には、ばね取付孔(22b)と同様の取付孔(22a)が穿設されている。
【００２８】
前部取付部材(26)と後部取付部材(27)とは、両者を組み合わせて、それらの連結孔(21a)(21b)同士を整合させ、連結ピン(23)を挿通することにより、互いに揺動可能に連結されている。
【００２９】
前述のボックス部材(18)の軸孔(20a)と後部取付部材(26)の軸孔(20b)とに挿通した枢軸(17)には、ねじりコイルばね(25)の基部の巻回部(25a)を挿通したスリーブ(24)が外嵌されている。
【００３０】
ねじりコイルばね(25)における前後の遊端の巻回部(25b)は、それぞれピン(28)により前後部取付部材(26)(27)のばね取付孔(22a)(22b)に取り付けられている。これにより、ねじりコイルばね(25)は、前部取付部材(27)の上端部を、連結ピン(23)を中心として後部取付部材(26)側に内向きに接近する方向に付勢し、前後部取付部材(26)(27)の対向面同士が当接することにより、前後部の上下移動部材(2b)(2c)は互いに平行に保持される。前後部取付部材(26)(27)の上端面には、それぞれ内側板(13a)の上端部と一体をなす水平板(2a)がボルト(19)により取り付けられて、全体として上下移動部材(２)を形成している。
【００３１】
図５に示す変形例では、内外の両側板(13a)(13b)の上端のシール材は、すべて中空であるが、内側のシール材(16b)は、中空部分の一部を側方に開放したものである。従って、この場合にも、前述の実施例と同様に、外側のシール材(16a)は、内側のシール材(16b)よりも撓曲性能が低くなる。
【００３２】
図２は、間仕切本体(１)から、上下移動部材(２)、すなわち前後部上下移動部材(2b)(2c)が上方に押し出されていない状態を示している。この状態から、パンタグラフ式の駆動装置(３)を作動させて、伸縮杆(４)を上下方向に伸長させると、押し出し杆(６)により、上方の上下移動部材(２)は上方に、また下方の上下移動部材(２)は下方に、それぞれ互いに前後に平行を保ちながら同時に押し出され、図３に示すように天井(Ｂ)（及び床）に圧接する。
【００３３】
この時、前部上下移動部材(2c)の端面のシール材(16a)(16b)が天井面に圧接すると、撓曲性能の高い内側のシール材(16b)が、外側のシール材(16a)よりも大きく弾性変形することにより、前部上下移動部材(2b)は、ねじりコイルばね(25)の付勢力に抗して、ピン(23)を中心として図２及び３において反時計方向に回動し、かつ同時に、後部上下移動部材(2c)は、枢軸(17)を中心として時計方向に回動する。その結果、図３に示すように、前後部上下移動部材(2b)(2c)の上端部は互いに拡開する。
【００３４】
このように、前後部上下移動部材(2b)(2c)の上端部が拡開すると、その下端部は反対に内向きに縮小して中間突出部材(11)に近付くことにより、シール材(15a)は垂直片(11a)に強く密着することとなる。
【００３５】
前部上下移動部材(2b)は、ピン(23)を中心として揺動可能であり、また後部上下移動部材(2c)は枢軸(17)を中心として前後に回動可能であるので、天井面が多少不整で傾斜していても、その傾斜面に追従して前後上下移動部材(2b)(2c)の上端面が傾動して、前後の各シール材(16a)(16b)は天井面に密着し、かつ、上述のように、シール材(15a)も中間突出部材(11)に密着するので、音の通り道は完全に遮断される。
上述の作用は、図５に示す変形例でも同じとなる。
【００３６】
図１に示すように、上下移動部材(２)は、左右方向の２箇所で押し出し杆(６)により動かされるようになっており、しかも、これらの押し出し杆(６)は、連結杆(５)の両端に枢着され、かつ連結杆(５)は、その中央が伸縮杆(４)の上端に枢着されているので、天井(Ｂ)（または床）が左右いずれかに傾斜していても、左右いずれか一方のシール材に一定以上の押圧力が作用すると、他方のシール材に押圧力が移動して、押圧力が分散される。従って、各シール材(16a)(16b)をほぼ均等な力で、天井(Ｂ)（または床）に密着することができ、それらが左右方向に多少傾斜していても高い遮音性能が得られる。
【００３７】
図６〜図８は、本発明の遮音構造の第２の実施形態を備える移動間仕切を示す。本実施形態では、前述した実施形態に対して、押し出し杆と上下移動部材との取付構造を変更している。
尚、前述した実施形態と同一の部材には、同一の符号を付して、その詳細な説明については省略する。
【００３８】
図６及び図８に示すように、前後部上下移動部材(2b)(2c)の互いに対向する水平板(2a)の下面には、側面形が逆Ｌ字状をなす取付金具(30)の水平片(30a)とが、止めねじ(31)をもってそれぞれ固着されている。前後の取付金具(30)における水平片(30a)の互いに対向する端部より垂下する垂下片(30b)のほぼ中央には、ボルト挿通孔(32)が穿設されている。
【００３９】
(33)は、第１の実施形態における押し出し杆(６)と同様の角軸状の押し出し杆で、その先端部には、前後方向を向くボルト挿通孔(34)が穿設されている。
【００４０】
前後部上下移動部材(2b)(2c)は、取付金具(30)の垂下片(30b)を押し出し杆(33)の前後面に当接し、その前後に、ゴム等よりなるリング状の弾性体(35)とワッシャ(36)とを配設して、締付手段であるボルト(37)を、それらと垂下片(30b)及び押し出し杆(33)のボルト挿通孔(32)(34)とに挿通し、その先端部に螺合したナット（締付手段）(38)を締付けるとともに、緩み止めワッシャ(39)を嵌めることにより、押し出し杆(33)に締着されている。
【００４１】
したがって、前後部上下移動部材(2b)(2c)は、図７に示すように、天井(Ｂ)等に圧接したとき、弾性体(35)を撓ませつつ、垂下片(30b)の下端を中心として、上部が前後に若干開くように前後方向に回動して、第１の実施形態と同様に作用するとともに、ボルト(37)の締付力及び弾性体(35)の復元力に抗して、ボルト(37)の中心軸先まわりに左右方向にも回動して、天井(Ｂ)等に形成された微妙な凹凸に追従し、天井(Ｂ)等との密接性をよくすることができる。
【００４２】
なお、第２の実施形態においては、前後の取付金具(30)の垂下片(30b)の前後に弾性体(35)を配設して、締付手段であるボルト(37)とナット(38)とにより締着しているが、それに代えて、またはそれとともに、押し出し杆(33)と前後の取付具(30)の垂下片(30b)との間に、弾性体(35)と同様の弾性体を挟んで、締付手段により締付けても、同様に作用する。
各垂下片(30b)の前後に弾性体(35)を配設したときは、垂下片(30b)、ひいては前後部上下移動部材(2b)(2c)が前後方向により回動し易くなる。
【００４３】
【発明の効果】
請求項１記載の発明によれば、上下移動部材を前後２つに分割して押し出し杆に前後に回動可能に設けたことにより、天井や床が前後方向に多少傾斜していたり、凹凸面があったとしても、前後部の上下移動部材の端面を、それらに確実に接触することができ、常に高い遮音性能が得られる。
また、前後部の上下移動部材は、付勢手段により互いに平行を保ちながら凹溝内を上下動するため、スティック現象等が生じることなく、円滑に上下動することができる。
【００４４】
請求項２記載の説明によれば、前後部の上下移動部材は、前後方向だけでなく左右方向にも回動しうるので、天板や床が左右方向に傾斜していたり、微小な凹凸面があったとしても、それらに確実に密接することができ、より高い遮音性能が得られる。
【００４５】
請求項３記載の発明によれば、単一の締付手段により、前後部の上下移動部材と弾性体とを押し出し杆に締着できるので、その取付け作業が容易であり、かつ構造を簡単なものとすることができる。
【００４６】
請求項４記載の発明によれば、前後部の上下移動部材同士を予め枢着した状態で押し出し杆に容易に組付けることができる。
【００４７】
請求項５記載の発明によれば、音漏れの通路が迷路状に屈曲するので、遮音効果が高まる。
【００４８】
請求項６記載の発明によれば、ガイド溝内の音の通り道が完全に遮断されるので、遮音効果はより高まる。
【００４９】
請求項７記載の発明によれば、撓曲性能が低いシール材を支点として、撓曲性能が高いシール材を天井や床に圧接するため、少ない押圧力で、より高い遮音性能が得られる。
【００５０】
請求項８記載の発明によれば、撓曲性能が異なるシール材を同一材質で形状を変えて製作することにより、コストを低減できるとともに、外見を同じにすることができる。
【図面の簡単な説明】
【図１】本発明の第１の実施形態を備える移動間仕切の前方のパネルを外して示す正面図である。
【図２】同じく、移動間仕切の上端部の拡大縦断側面図で、上下移動部材を引っ込めた状態を示す図である。
【図３】同じく、図２と同様の拡大縦断側面図で、上下移動部材を天井に圧接させた状態を示す図である。
【図４】同じく、前後部上下移動部材の一部である前後部取付部材と押し出し杆との連結構造を分解して示す斜視図である。
【図５】同じく、変形例を示す移動間仕切の上端部の拡大縦断側面図である。
【図６】本発明の第２の実施形態を備える移動間仕切の上端部の拡大縦断側面図で、上下移動部材を引っ込めた状態を示す図である。
【図７】同じく、図６と同様の拡大縦断側面図で、上下移動部材を天井に圧接させた状態を示す図である。
【図８】同じく前後部上下移動部材と押し出し杆との連結部分を分解して示す斜視図である。
【符号の説明】
(Ａ)移動間仕切
(Ｂ)天井
(１)間仕切本体
(２)上下移動部材
(2a)水平板
(2b)前部上下移動部材
(2c)後部上下移動部材
(３)駆動手段
(４)伸縮杆
(５)連結杆
(６)押し出し杆
(７)石膏ボード
(８)表面材
(９)パネル
(10)枠部材
(10a)端面部
(10b)ガイド面部
(10c)底部
(11)中間突出部材
(11a)垂直片
(11b)連結片
(12)ガイド溝
(13)側板
(13a)内側板
(13b)外側板
(14)吸音材
(15a)(15b)シール材
(16a)(16b)シール材
(17)枢軸
(18)ボックス部材
(19)ボルト
(20a)(20b)軸孔
(21a)(21b)連結孔
(22a)(22b)ばね取付孔
(23)連結ピン
(24)スリーブ
(25)ねじりコイルばね（付勢手段）
(25a)基部の巻回部
(25b)遊端の巻回部
(26)後部取付部材
(27)前部取付部材
(28)ピン
(30)取付金具
(30a)水平片
(30b)垂下片
(31)止めねじ
(32)ボルト挿通孔
(33)押し出し杆
(34)ボルト挿通孔
(35)弾性体
(36)ワッシャ
(37)ボルト（締付手段）
(38)ナット（締付手段）
(39)緩み止めワッシャ
【図１】
0004368992.tif 000002
【図２】
0004368992.tif 000003
【図３】
0004368992.tif 000004
【図４】
0004368992.tif 000005
【図５】
0004368992.tif 000006
【図６】
0004368992.tif 000007
【図７】
0004368992.tif 000008
【図８】
0004368992.tif 000009